(57)【要約】【課題】  不適切な再生時間が設定された場合でも、見映えの良いフォトムービーの作成を可能にする。【解決手段】  静止画の一部を切り出す範囲を定めるトリミング枠Ｆ１の移動経路とフォトムービー再生時間とが設定されることにより、トリミング枠Ｆ１の移動速度を算出する。算出された移動速度が予め決められた許容速度範囲内であるか否かが判定され、許容速度範囲内でない場合には、トリミング枠Ｆ１の大きさを示す枠サイズが補正される。移動速度が許容速度範囲を上回る時は枠サイズが大きく補正され、見た目の画面の動きが遅くなるフォトムービーが作成できる。また、移動速度が許容速度範囲を下回る時は枠サイズが小さく補正され、見た目の画面の動きが速くなるフォトムービーが作成できる。【選択図】        図４
2006245645.tif 000002
【特許請求の範囲】
【請求項１】
静止画を部分的に切り出す範囲を定めたトリミング枠を、前記静止画上の少なくとも２つのポイントによって決まる移動経路に沿って移動させ、前記トリミング枠が移動するごとに切り出される複数の画像を使用してフォトムービーを作成するフォトムービー作成装置において、
前記トリミング枠の大きさを規定する枠サイズと、フォトムービーの再生時間とが指定されることにより、前記トリミング枠が前記移動経路を移動する際の移動速度を算出する移動速度算出手段と、
算出された移動速度が予め設定された許容速度範囲内にあるか否かを判定し、前記移動速度が許容速度範囲内にないと判定された時に前記枠サイズを補正する枠サイズ補正手段とを備えたことを特徴とするフォトムービー作成装置。
【請求項２】
前記枠サイズ補正手段は、許容速度範囲よりも前記移動速度が大きい場合は前記枠サイズを大きく補正し、前記移動速度が小さい場合は前記枠サイズを小さく補正することを特徴とするフォトムービー作成装置。
【請求項３】
前記移動速度が前記許容速度範囲内にないと判定された時に、前記トリミング枠が前記ポイントを含むように前記移動経路の長さを補正する移動距離補正手段を備えたことを特徴とする請求項１又は２記載のフォトムービー作成装置。
【請求項４】
前記移動距離補正手段は、前記許容範囲に対して前記移動速度が大きい場合は、前記トリミング枠の移動距離を短く補正し、前記移動速度が小さい場合は、前記移動距離を長く補正することを特徴とする請求項３記載のフォトムービー作成装置。
【請求項５】
前記移動距離補正手段は、前記枠サイズが大きく補正されることにより前記トリミング枠の少なくとも一部が前記静止画の外部に食み出す時に、前記トリミング枠が前記静止画の内部に収まるように前記移動距離を短く補正することを特徴とする請求項３又は４記載のフォトムービー作成装置。
【請求項６】
静止画を部分的に切り出す範囲を定めたトリミング枠を、前記静止画上の少なくとも２つのポイントによって決まる移動経路に沿って移動させ、前記トリミング枠が移動するごとに切り出される複数の画像を使用してフォトムービーを作成するためのフォトムービー作成プログラムにおいて、
前記トリミング枠の大きさを規定する枠サイズと、作成するフォトムービーの再生時間とが指定されることにより、前記トリミング枠が前記移動経路を移動する際の移動速度を算出する移動速度算出手段と、
算出された移動速度が予め設定された許容速度範囲内にあるか否かを判定し、前記移動速度が許容速度範囲内にないと判定された時に前記枠サイズを補正する枠サイズ補正手段としてコンピュータを機能させることを特徴とするフォトムービー作成プログラム。
【発明の詳細な説明】
【技術分野】
【０００１】
本発明は、素材の静止画から動画として観賞されるフォトムービーを作成するフォトムービー作成装置及びフォトムービー作成プログラムに関する。
【背景技術】
【０００２】
デジタルカメラ等により記録された静止画を、動きのあるフォトムービーとして観賞できるようにした画像表示装置及びフォトムービー作成ソフトウェアが知られている（特許文献１及び２、非特許文献１ないし３参照）。フォトムービーは、動的な視覚効果を付与する特殊な加工編集処理によって素材の静止画を動画に変換したもので、画像を順次表示するスライドショーと比べて、特定の被写体に注目した演出を行うことや、１枚の静止画にストーリー性を与える演出を行うことができる。フォトムービーの映像は、専用の再生装置や上述のソフトウェアを組み込んだコンピュータ上で再生することができる。また、フォトムービーの映像データを汎用的なデジタル動画フォーマットに変換し、ＤＶＤ等の光ディスクに記録すれば、家庭用ＤＶＤプレイヤー等を用いてフォトムービーを観賞することもできる。
【０００３】
静止画に動きを与えるフォトムービーの特殊エフェクトには、静止画の一部の領域に注目してズームイン／ズームアウトする電子ズーミング効果、静止画の一部の領域をクローズアップした状態でスクロールする電子パンニング効果、１コマの静止画を画面内で縮小表示して直線状又は曲線状等に移動させるコマ移動、特定の一点を中心に画像を回転させる回転効果、歪み（スキュー）を与える歪曲効果、これらを複合させた複合効果等がある。また、複数の静止画を縮小して同時に表示するマルチ画面効果、アニメーション画像や装飾画像、字幕を合成した視覚効果を併用したもの、特殊エフェクトを与えないスライドショーを盛り込んだものなどがあり、その演出形態は多種多様である。
【０００４】
フォトムービーは、例えば１つの静止画から生成される１シーンを構成単位とし、複数の静止画を使用した場合には複数のシーンが集合して構成される場合もある。高品位のフォトムービーを作成するためには、素材となる静止画の画質、特殊エフェクトの種類、１シーンの再生時間等の要素から個々のシーンを最適に構築する必要がある。そこで、非特許文献３に記載のフォトムービー作成ソフトウェアでは、特殊エフェクトに編集パラメータが設定されており、シーンの開始時及び終了時の画像や、シーン内の画面変化等をユーザーが任意に選択できるようにしている。
【０００５】
例えば、電子ズーミングや電子パンニングの特殊エフェクトでは、静止画の一部を切り出す範囲を定めるトリミング枠が編集パラメータとして設定されている。ユーザーは、トリミング枠の大きさと、電子ズーミングや電子パンニングの開始／終了ポイント，又は中継ポイント等を指定することができる。これにより、各ポイントを経由するようにトリミング枠の移動経路が決定する。また、１シーンの再生時間が例えば５秒間と決まっていればトリミング枠の移動速度も決まり、トリミング枠が移動経路を移動する間に５秒×３０フレーム／秒の計１５０フレーム分の画像が切り出される。
【０００６】
トリミング枠によって切り出された画像は、フォトムービーの動画フレームとして、例えば７２０ピクセル×４８０ピクセルの家庭用テレビでの観賞に適した規定の画像サイズに変換される。したがって、トリミング枠が小さいほど、静止画を高倍率にしたフォトムービーの映像ができる。
【特許文献１】特開平１０−２００８４３号公報
【特許文献２】特開２００２−２４８４６号公報
【非特許文献１】株式会社デジタルステージ  LIFE* with-Photo-Cinema  ［平成１６年１１月１日検索］インターネット＜ＵＲＬ：http://www.digitalstage.net/jp/product/life/index.html＞
【非特許文献２】エー・アイ・ソフト株式会社  デジカメ de ムービーシアター  ［平成１６年１１月１日検索］インターネット＜ＵＲＬ：http://ai2you.com/imaging/products/dcmtheater/dcmt.asp＞
【非特許文献３】カノープス株式会社  Imaginate2.0  ［平成１６年１１月１日検索］インターネット＜ＵＲＬ：http://www.canopus.co.jp/catalog/imaginate/imaginate20#index.htm＞
【発明の開示】
【発明が解決しようとする課題】
【０００７】
しかしながら、１シーンの再生時間に対してトリミング枠の移動経路が長すぎると、トリミング枠の移動速度が大きくなり、映像の流れ（画面のスクロール）が速いために観賞者の目が追い付かないような見づらいフォトムービーになってしまうという問題がある。反対に、トリミング枠の移動経路が短すぎると、冗長的で変化がなく、面白味の失われたフォトムービーになってしまうという問題がある。
【０００８】
本発明は、上記問題点を考慮してなされたもので、ユーザーにより指定されたトリミング枠の移動経路が、再生時間に対して不適切に設定されてもこれを補正し、ユーザーの作成意図を損なわずに見映えの良いフォトムービーが容易に作成できる装置及びそのプログラムを提供することを目的とする。
【課題を解決するための手段】
【０００９】
上記目的を達成するために、本発明は、静止画を部分的に切り出す範囲を定めたトリミング枠を、前記静止画上の少なくとも２つのポイントによって決まる移動経路に沿って前記静止画上で移動させ、前記トリミング枠が移動するごとに切り出される複数の画像を使用してフォトムービーを作成するフォトムービー作成装置において、前記トリミング枠の大きさを規定する枠サイズと、フォトムービーの再生時間とが指定されることにより、前記トリミング枠が前記移動経路を移動する際の移動速度を算出する移動速度算出手段と、算出された移動速度が予め設定された許容速度範囲内にあるか否かを判定し、前記移動速度が許容速度範囲内にないと判定された時に前記枠サイズを補正する枠サイズ補正手段とを備えたことを特徴とする。
【００１０】
前記枠サイズ補正手段は、許容速度範囲よりも前記移動速度が大きい場合は前記枠サイズを大きく補正し、前記移動速度が小さい場合は前記枠サイズを小さく補正することを特徴とする。
【００１１】
前記移動速度が前記許容速度範囲内にないと判定された時に、前記トリミング枠が前記ポイントを含むように前記移動経路の長さを補正する移動距離補正手段を備えたことを特徴とする。
【００１２】
前記移動距離補正手段は、前記許容範囲に対して前記移動速度が大きい場合は、前記トリミング枠の移動距離を短く補正し、前記移動速度が小さい場合は、前記移動距離を長く補正することを特徴とする。
【００１３】
前記移動距離補正手段は、前記枠サイズが大きく補正されることにより前記トリミング枠の少なくとも一部が前記静止画の外部に食み出す時に、前記トリミング枠が前記静止画の内部に収まるように前記移動距離を短く補正することを特徴とする。
【００１４】
また、本発明のフォトムービー作成プログラムは、静止画を部分的に切り出す範囲を定めたトリミング枠を、前記静止画上の少なくとも２つのポイントによって決まる移動経路に沿って前記静止画上で移動させ、前記トリミング枠が移動するごとに切り出される複数の画像を使用してフォトムービーを作成するためのものであって、前記トリミング枠の大きさを規定する枠サイズと、作成するフォトムービーの再生時間とが指定されることにより、前記トリミング枠が前記移動経路を移動する際の移動速度を算出する移動速度算出手段と、算出された移動速度が予め設定された許容速度範囲内にあるか否かを判定し、前記移動速度が許容速度範囲内にないと判定された時に前記枠サイズを補正する枠サイズ補正手段としてコンピュータを機能させることを特徴とする。
【発明の効果】
【００１５】
本発明によれば、トリミング枠のパラメータとして指定された移動経路に対して不適切な再生時間が指定され、トリミング枠の移動速度が速くなる場合又は遅くなる場合の少なくとも一方で枠サイズを補正するから、画面の動きが速すぎるときは枠サイズを大きくし、視野を広くして画面の見た目の動きを遅くでき、あるいは、画面の動きが遅すぎる時は枠サイズを小さくし、見た目の動きを速くすることができる。したがって、画面の動きが速すぎる見づらいフォトムービーや、画面の動きが遅く冗長的なフォトムービーにならないから、その見映えが低下することはない。また、トリミング枠の移動経路や移動速度を補正するだけの場合に比べ、ユーザーの作成意図を大きく変更せず、高品位を保ったフォトムービーを作成することができる。これにより、適切な再生時間と移動速度が設定された後に、ユーザーの都合等により再生時間を変更する場合が生じても、トリミング枠の移動速度を変える必要がなく、フォトムービーの品位を維持したまま再生時間を容易に変更することができる。
【００１６】
また、枠サイズを大きく補正すると同時に移動距離を短く補正し、枠サイズを小さく補正すると同時に移動距離を長く補正するから、再生時間を変更する際に、変更可能な時間の範囲を広くすることができる。
【００１７】
また、トリミング枠が静止画の外部の領域に食み出す場合には、トリミング枠が静止画の内部に収まるように移動経路を短くするから、静止画の外部領域が例えば黒塗り画像としてフォトムービーの映像に現れず、フォトムービーの品質を損なうことがない。
【発明を実施するための最良の形態】
【００１８】
図１において、フォトムービー作成装置１０は、写真プリントサービスを提供するＤＰＥ店の店頭又は店内に設置され、フォトムービーの作成を依頼する注文客をユーザーとして各種の入力操作がなされる。フォトムービー作成装置１０は、フォトムービー作成プログラムが記憶された記憶装置１１と、このフォトムービー作成プログラムを実行するＣＰＵ１２とを備えている。記憶装置１１は、例えばハードディスク型磁気記憶装置であり、フォトムービーの素材となる静止画の画像データと、ＣＰＵ１２の演算処理により生じる中間データ等が記憶される。
【００１９】
モニタ１３は、画面上にフォトムービー作成のための編集メニュー及び作成されたフォトムービー等を表示する。入力操作部１４は、フォトムービーの作成に必要となる編集パラメータ等を入力するためのもので、モニタ１３に表示された入力キー等に触れることにより入力処理を行うためのタッチパネルからなる。通信部１５は、デジタルカメラ１６等の外部機器との間で画像データ等のデータ通信を行う。メディア読取り部１７は、注文客により持ち込まれたメモリカード１８に記憶された画像データを読取る。メディア記録部１９は、作成されたフォトムービーをＣＤ、ＤＶＤ等の光ディスク２０に記録する。
【００２０】
ＣＰＵ１２は、記憶装置１１に記憶されたフォトムービー作成プログラムを実行することにより、入力操作部１４を介してなされた入力処理等に基づいて各部の動作を制御する制御部２５と、フォトムービーを作成するフォトムービー作成部２６として機能する。フォトムービー作成部２６は、電子ズーミングや電子パンニングの特殊エフェクトの編集パラメータとして静止画の切り出し範囲を定めるトリミング枠を設定するトリミング枠設定部３０と、フォトムービーの再生時間を１シーンごとに設定する再生時間設定部３１と、フォトムービーの動画データを出力するフォトムービー出力部３２とから構成される。
【００２１】
トリミング枠設定部３０には、トリミング枠を移動させる際の開始ポイント、終了ポイント、中継ポイントが指定されることにより、その移動経路を算出する移動経路算出部３５と、算出された移動経路をトリミング枠が所定時間内に移動するための移動速度を算出する移動速度算出部３６と、移動速度の大きさが予め定められた許容速度範囲内であるか否かを判定し、トリミング枠の移動速度が許容範囲から外れていた場合にトリミング枠の枠サイズを補正する枠サイズ補正部３７と、枠サイズの補正が不可能となる場合にトリミング枠の移動経路の長さ（移動距離）を補正する移動距離補正部３８とを有している。
【００２２】
図２において、移動経路算出部３５は、長方形をしたトリミング枠Ｆ１の中心座標として静止画上の少なくとも２つのポイント、例えば開始ポイントＣ１，終了ポイントＣ２が指定されることにより、トリミング枠Ｆ１が移動する２つのポイントを結ぶ移動経路を算出する。開始ポイントＣ１，終了ポイントＣ２が指定される時、トリミング枠Ｆ１の大きさを規定する枠サイズＳ１，Ｓ２が指定される。なお、トリミング枠Ｆ１は、そのアスペクト比が一般家庭用テレビの画面アスペクト比と同じ値に固定されており、対角線長が決まればトリミング枠Ｆ１の縦横の長さも一意的に定まる。図中では、枠サイズＳ１，Ｓ２をトリミング枠Ｆ１の半対角線長として示している。
【００２３】
トリミング枠Ｆ１の移動経路は、フォトムービーの再生時間を基準として、各時間における中心座標Ｃｔ、枠サイズＳｔ，１つの頂点座標Ｐｔ、の３種類の変数によって定義される。開始ポイントＣ１と終了ポイントＣ２の間で枠サイズＳ１，Ｓ２が異なれば、トリミング枠Ｆ１が移動する際に枠サイズＳｔが時間ごとに変化する。
【００２４】
図３において、トリミング枠Ｆ１が所定の速度で移動し、トリミング枠Ｆ１により定められた範囲の画像が一定間隔で切り出されることにより、１シーン分のフォトムービーが作成される。ここで、１シーン分のフォトムービーとは、複数の静止画を用いて作成されるフォトムービーの構成単位であり、トリミング枠Ｆ１によって画像の切り出しが行われる１つの静止画から作成されるフォトムービーを意味する。複数の静止画を用いて作成されるフォトムービーは、各静止画から作成される複数のシーンのフォトムービーを繋ぎ合わせたものとなる。
【００２５】
移動経路の開始ポイントＣ１と終了ポイントＣ２とが同じ座標であり、枠サイズＳ１，Ｓ２が異なれば、静止画の倍率が変化するズーミング効果の付与されたフォトムービーとなる。また、開始ポイントＣ１と終了ポイントＣ２とが異なり、枠サイズＳ１，Ｓ２が同じであれば、静止画の一部をスクロールさせるパンニング効果の付与されたフォトムービーとなる。また、枠サイズＳ１，Ｓ２と、開始ポイントＣ１及び終了ポイントＣ２の座標が異なる場合にはズーミング効果とパンニング効果を複合したフォトムービーとなる。
【００２６】
移動速度算出部３６は、トリミング枠Ｆ１の移動距離Ｌ１と、１シーンの再生時間とからトリミング枠Ｆ１の移動速度を算出する。枠サイズ補正部３７は、算出された移動速度が、予め決められた許容速度範囲内であるか否かを判定する。許容速度範囲は、静止画の解像度によって異なり、例えば縦１２８０ピクセル、横９６０ピクセルの静止画では、許容速度範囲が毎秒１５０ピクセル〜毎秒２５０ピクセルのように決められる。これより低解像度の静止画であれば、許容速度範囲の上限値と下限値が共に小さくなり、高解像度の静止画であれば許容速度範囲の上限値と下限値が共に大きくなる。トリミング枠Ｆ１の移動距離Ｌ１は、トリミング枠Ｆ１の中心座標間距離であり、図２に示す開始ポイントＣ１と終了ポイントＣ２の距離である。
【００２７】
図４（ａ）において、枠サイズ補正部３７は、トリミング枠Ｆ１の移動速度が許容速度範囲内でなかった場合に、開始ポイントＣ１及び終了ポイントＣ２におけるトリミング枠Ｆ１の枠サイズＳ１，Ｓ２を補正する。例えば、トリミング枠Ｆ１の移動速度が速い場合には、枠サイズＳ１，Ｓ２を大きく補正する（図４（ｂ））。トリミング枠Ｆ１の移動速度が遅い場合には、枠サイズＳ１，Ｓ２を小さく補正する（図４（ｃ））。補正後の枠サイズは、例えば、トリミング枠Ｆ１の移動速度と許容速度範囲との差に基づいて決められた大きさになる。また、枠サイズ補正部３７は、補正後の枠サイズが予め決められた許容サイズ範囲内にあるか否かを判定し、静止画の大きさに対して大きい枠サイズ、又は小さい枠サイズになる場合には、枠サイズを静止画の解像度に基づいて決められる許容サイズ範囲内の大きさにする。
【００２８】
図５において、移動距離補正部３８は、補正後の枠サイズが許容サイズ範囲から外れる場合、トリミング枠Ｆ１の枠サイズが許容サイズ範囲内の大きさとされる代わりに、トリミング枠Ｆ１の移動距離を補正する。例えば、補正後の枠サイズが許容サイズ範囲より大きくなる場合には、枠サイズを許容範囲内の大きさとする代わりに、移動距離を短く補正する（図５（ｂ））。また、補正後の枠サイズが許容サイズ範囲より小さくなる場合には、枠サイズを許容範囲内の大きさとする代わりに、移動距離を長く補正する。すなわち、再生時間は変わらずにトリミング枠Ｆ１の移動速度が許容速度範囲に近い速度になる。
【００２９】
また、移動距離補正部３８は、枠サイズの補正時にトリミング枠Ｆ１の一部が静止画上から食み出す場合に、トリミング枠Ｆ１の開始ポイントＣ１及び終了ポイントＣ２の位置を変更し、トリミング枠Ｆ１の移動距離を変更する。図６に示すように、補正後のトリミング枠Ｆ１は、開始ポイントＣ１と終了ポイントＣ２が静止画の周辺部分に位置する場合（図６（ａ））、枠サイズＳ１，Ｓ２が大きく補正されると、その一部が静止画の外部に突出することがある（図６（ｂ））。移動距離補正部３８は、枠サイズを補正した後のトリミング枠Ｆ１が静止画の内部に収まるように、トリミング枠Ｆ１の開始ポイントＣ１及び終了ポイントＣ２の位置を変更する（図６（ｃ））。
【００３０】
移動距離補正部３８は、枠サイズが許容サイズ範囲外となる場合、トリミング枠が静止画から食み出す場合のいずれにおいても、移動距離が変化することによるトリミング枠Ｆ１の移動速度の変化が最も小さくなるように、新たな開始ポイントＣ１及び終了ポイントＣ２の位置を決定する。例えば、補正後のトリミング枠Ｆ１の開始ポイントＣ１と終了ポイントＣ２は、補正前のトリミング枠Ｆ１の内部に含まれる位置に変更される。
【００３１】
再生時間設定部３１は、１シーンごとの再生時間を設定する。１シーンの再生時間は、初期設定値として例えば５秒に設定されており、この初期設定値は１シーンの最短時間として決められている。１シーンの再生時間は、ユーザーの入力操作により指定される５秒以上の再生時間に適宜変更することができる。また、再生時間設定部３１は、トリミング枠Ｆ１の設定がなされた全てのシーンの総再生時間を算出し、ユーザーにより総再生時間が指定された際に１シーンごとの再生時間を再設定する。
【００３２】
フォトムービー出力部３２は、トリミング枠Ｆ１が移動経路を移動するごとに静止画から切り出された画像をフォトムービーの動画フレームに変換し、例えば毎秒３０フレームの動画データを生成する。また、生成された動画データを、例えば、ＭＰＥＧ２−ＤＶＤ−Ｖｉｄｅｏフォーマットのデジタル動画フォーマットに変換し、変換されたフォトムービーの動画データを記憶装置１１に格納する。記憶装置１１に格納されたフォトムービーの動画データは、メディア記録部１９により光ディスク２０に記録される。
【００３３】
次にフォトムービー作成装置１０の作用について説明する。図７において、静止画の画像データが記憶されたデジタルカメラ１６又はメモリカード１８がユーザーにより持ち込まれる。デジタルカメラ１６は通信部１５に接続され、メモリカード１８はメディア読取り部１７にセットされる。制御部２５は、デジタルカメラ１６又はメモリカード１８から静止画の画像データを読み出し、これを記憶装置１１に格納する。
【００３４】
読取られた静止画は、サムネイル画像としてモニタ１３に一覧表示される。ユーザーによりフォトムービーに使用する静止画が選択され、モニタ１３にはトリミング枠Ｆ１を設定するためのトリミング枠設定画面が表示される。画面上には選択された静止画が表示される。ユーザーがモニタ１３の画面に触れ、表示された静止画の特定のポイントを指定すると、トリミング枠設定部３０は、指定された第１ポイントにマークを表示し、トリミングＦ１を表示する。マークの表示されたポイントを指定し、例えばそのままドラッグ操作を行うとトリミング枠Ｆ１の位置を変更することができる。また、表示されたトリミング枠Ｆ１のコーナーの部分をドラッグ操作するとトリミング枠Ｆ１の枠サイズＳ１を指定できる。ユーザーは、指定したトリミング枠Ｆ１の位置及び枠サイズを確定する操作を行う。トリミング枠設定部３０は、指定された第１ポイントを開始ポイントＣ１に設定する。
【００３５】
次に、ユーザーは第２ポイントを指定し、トリミング枠Ｆ１の位置及び枠サイズＳ２を決め、これを確定する操作を行う。トリミング枠設定部３０は、指定された第２ポイントを終了ポイントＣ２に設定する。なお、第２ポイントの指定が終了すると、モニタ１３の画面上には、中継ポイントを指定するか否かをユーザーが選択するように促すメッセージが表示される。ここで、ユーザーが中継ポイントを指定することを選択すれば、第３ポイントが指定され、トリミング枠Ｆ１の位置及び枠サイズが指定される。指定された第３ポイントは終了ポイントＣ２に設定され、前回入力した第２ポイントが中継点に指定される。同様にして、第４ポイント，第５ポイントを指定することができる。
【００３６】
第２ポイント又は中継ポイントの指定が終了すると、開始ポイントＣ１、終了ポイントＣ２、及び中継ポイントの位置から、トリミング枠Ｆ１の移動経路が求められる。また、開始ポイントＣ１と終了ポイントＣ２におけるトリミング枠Ｆ１の枠サイズが異なる場合には、各時間の枠サイズが求められる。モニタ１３の画面上には１シーンの再生時間を指定するか否かをユーザーが選択するように促すメッセージが表示される。再生時間設定部３１は再生時間を初期設定値の５秒に設定し、ユーザーは５秒以上の時間を選択することができる。ユーザーによる再生時間の選択が行われなければ、再生時間は初期設定値の５秒となる。
【００３７】
図８において、移動速度算出部３６は、求められた移動経路と、設定された再生時間からトリミング枠Ｆ１の移動速度を算出する。枠サイズ補正部３７は、静止画の解像度から許容速度範囲を設定し、算出された移動速度が許容速度範囲内にあるか否かを判定する。この結果、移動速度が許容速度範囲内にあると判定された場合は１シーンのトリミング枠Ｆ１の設定が終了し、次の静止画を選択するか、フォトムービーを作成するかをユーザーが選択するステップに移る。
【００３８】
枠サイズ補正部３７は、移動速度が許容速度範囲外であると判定した場合、移動速度が許容速度範囲より上か下かに基づいてトリミング枠Ｆ１の枠サイズを補正する。移動速度が許容速度範囲を上回る場合は枠サイズが大きく補正され、移動速度が許容速度範囲を下回る場合は枠サイズが小さく補正される。また、枠サイズ補正部３７は、枠サイズを大きく補正する場合に、トリミング枠Ｆ１が静止画の外部に食み出すか否かを判定する。トリミング枠Ｆ１が静止画の外部に食み出す場合、移動距離補正部３８は、該当するトリミング枠Ｆ１の中心位置を変更し、全てのトリミング枠Ｆ１が静止画の内部に収まるように移動距離を短く補正する。
【００３９】
枠サイズ補正部３７は、静止画の解像度から枠サイズの許容サイズ範囲を設定し、補正された枠サイズが許容サイズ範囲内にあるか否かを判定する。補正後の枠サイズが許容サイズ範囲外であると判定された場合、枠サイズは強制的に許容サイズ範囲内の大きさに補正される。図８に示すように、移動距離補正部３８は、枠サイズが許容サイズ範囲を上回る場合、補正される枠サイズが許容サイズ範囲内に抑えられることに基づき、移動距離を短く補正する。また、枠サイズが許容サイズ範囲を下回る場合には移動距離を長く補正する。移動距離補正部３８は、移動距離を変更することに伴う再生時間の変化分を算出し、再生時間の補正量を再生時間設定部３１に送る。
【００４０】
再生時間設定部３１は、設定された再生時間の長さと再生時間の補正量とを比較し、再生時間の補正が可能か否かを判定する。すなわち、再生時間を減算する場合に、再生時間の最小値である５秒より小さくなるか否かを判定する。補正後の再生時間が５秒以上であると判定されると、再生時間の調整が行われる。補正後の再生時間が５秒以下であると判定されると、再生時間が５秒に設定され、移動距離補正部３８により補正しきれない再生時間の長さの分だけ移動距離が短く補正される。枠サイズ、再生時間、移動距離が補正されると、トリミング枠Ｆ１の補正処理が終了する。
【００４１】
その他の静止画についても同様の処理が行われ、フォトムービーに使用する全ての静止画についてシーンごとのトリミング枠Ｆ１の設定が終了すると、再生時間設定部３１により全てのシーンの再生時間を合計した総再生時間の算出が行われる。この総再生時間は、モニタ１３に表示される。ユーザーは表示された総再生時間の良否を判断し、総再生時間が短い場合には総再生時間の延長を指示する内容を入力する。また、総再生時間が短い場合には総再生時間の短縮を指示する内容を入力する。
【００４２】
再生時間設定部３１は、現時点における再生時間と、ユーザーの希望する再生時間との差を求め、総再生時間を延長する場合には、例えば各シーンの再生時間を均等に増加する。また、総再生時間を短縮する場合には、再生時間が５秒以上に設定されたシーンの再生時間を差し引く。再生時間が変更されたシーンは、移動速度の算出から再度やり直され、枠サイズ、移動距離が補正される。
【００４３】
ユーザーの希望する総再生時間に変更されると、ユーザーにより次のステップに進む操作がなされ、フォトムービー出力部３２によりフォトムービーの作成が開始される。フォトムービー出力部３２は、トリミング枠設定部３０と再生時間設定部３１とから各シーンの設定情報を読み出し、トリミング枠Ｆ１の設定情報から静止画の切り出しを行い、切り出した画像を等しい画素数の動画フレームに変換する。変換された動画フレームから動画データが生成され、生成した動画データにＭＰＥＧ圧縮処理が行われる。ＭＰＥＧ圧縮された動画データは、ＤＶＤ−Ｖｉｄｅｏフォーマットに変換するオーサリング処理が行われる。これらの処理がなされた動画データは記憶装置１１に格納される。
【００４４】
記憶装置１１に格納されたフォトムービーの動画データは、メディア記録部１９において光ディスク２０に書き込まれる。フォトムービーの動画データが書き込まれた光ディスク２０は、料金と引き換えにフォトムービー作成装置１０から外部に排出され、注文客に渡される。以上のようにして、フォトムービーの注文と作成、商品の受渡しが終了する。
【００４５】
なお、本発明は、上記実施形態に限られず適宜の変更が可能である。例えば、上記実施形態では、許容速度範囲に上限値と下限値を設定し、算出された移動速度が許容速度範囲を上回る場合と下回る場合とでそれぞれ枠サイズを補正しているが、上限値又は下限値のみの許容速度範囲に対して移動速度を比較し、枠サイズを大きく、又は小さく補正するようにしてもよい。
【００４６】
上記実施形態は、トリミング枠が設定された全てのシーンに対して、移動速度の算出と枠サイズの補正とを行っているが、移動経路を決める少なくとも２つのポイントと枠サイズとが指定された時に、許容速度範囲の移動速度に対応した最適な再生時間の範囲を算出し、算出された最適な再生時間の範囲から外れた再生時間が指定された時のみに、移動速度の算出、枠サイズの補正等を行うようにしてもよい。また、枠サイズの補正、移動距離の補正が不可能な状態が生じた時、例えば、元の枠サイズと補正後の枠サイズと差が大きくなるためにフォトムービーの品位が低下するおそれのある場合には、トリミング枠の移動速度を変更することにより、フォトムービーの品位の低下を軽減することができる。
【００４７】
上述のフォトムービー作成装置１０は、フォトムービーを作成するために静止画の画像データの読み込みからフォトムービーの動画データが記録された光ディスク作成を一括して行う専用装置として構成されているが、他の形態として、静止画の画像データを読み込ませて特殊エフェクト等の指定を行うための注文受付機と、注文受付機から静止画の画像データやユーザーにより指定された各種の情報を受信し、これに基づいてフォトムービーを作成するフォトムービー出力機とから構成されていてもよい。この場合、本発明のフォトムービー作成プログラムをパーソナルコンピュータに組み込み、注文を自宅からインターネット等の通信手段を介して行えるようにしてもよい。
【００４８】
さらに、本発明をデジタルスチルカメラに適用し、撮影した画像をその場でフォトムービーとして再生できるようにしてもよい。トリミング枠は長方形に限らず、円形や菱形等のトリミング枠でもよく、特殊エフェクトとしては、トリミング枠の移動を伴う電子パンニング効果を含むものであれば、電子ズーミング効果の他にも、トリミング枠を回転させる回転効果等を複合した特殊エフェクトが付与されたフォトムービーを作成する際にも使用できる。
【図面の簡単な説明】
【００４９】
【図１】フォトムービー作成装置の概略構成を示すブロック図である。
【図２】静止画とトリミング枠を示す説明図である
【図３】パンニング効果が付与されたフォトムービーの例を示す説明図である。
【図４】トリミング枠の設定画面を示す説明図である。
【図５】トリミング枠の移動距離を補正する様子を示す説明図である。
【図６】外部に食み出したトリミング枠を補正する様子を示す説明図である。
【図７】フォトムービー作成の流れを示すフローチャートである。
【図８】フォトムービー作成の流れを示すフローチャートである。
【符号の説明】
【００５０】
１０  フォトムービー作成装置
１１ａ  フォトムービー作成プログラム
１２  ＣＰＵ
１６  デジタルカメラ
２５  制御部
２６  フォトムービー作成部
３０  トリミング枠設定部
３１  再生時間設定部
３２  フォトムービー出力部
３５  移動経路算出部
３６  移動速度算出部
３７  枠サイズ補正部
３８  移動距離補正部
Ｆ１  トリミング枠
Ｃ１  開始ポイント
Ｃ２  終了ポイント
Ｓ１，Ｓ２  枠サイズ
【図１】
2006245645.tif 000003
【図２】
2006245645.tif 000004
【図３】
2006245645.tif 000005
【図４】
2006245645.tif 000006
【図５】
2006245645.tif 000007
【図６】
2006245645.tif 000008
【図７】
2006245645.tif 000009
【図８】
2006245645.tif 000010